(57)【要約】  音声出力装置は、所定面を有し、光提供部の背面側に所定面が位置される振動板と、所定面に略直交する方向への振動を提供する加振部とを備える。図５
2014184994.tif 000002
【特許請求の範囲】
【請求項１】
所定面を有し、光提供部の背面側に前記所定面が位置される振動板と、
前記所定面に略直交する方向への振動を提供する加振部と
を備える音声出力装置。
【請求項２】
前記光提供部は、映像を表示する表示パネルである
請求項１に記載の音声出力装置。
【請求項３】
前記振動板の背面側に、前記所定面と同一の平面または前記所定面と略平行な面である、端面を有する突部が形成され、
前記加振部は、前記端面に略直交する方向に対して振動を提供するように構成される
請求項１に記載の音声出力装置。
【請求項４】
前記光提供部の背面側に設けられる音声出力部を備え、
前記振動板は、前記音声出力部により再生される音声を前記光提供部の前面側に反射するように構成される
請求項１に記載の音声出力装置。
【請求項５】
前記加振部は、第１の音声信号が供給されるように構成され、
前記音声出力部は、前記第１の音声信号の帯域と一部または全部が異なる帯域を有する第２の音声信号が供給されるように構成される
請求項４に記載の音声出力装置。
【請求項６】
前記加振部は、供給される前記第１の音声信号に応じて振動するように構成される
請求項５に記載の音声出力装置。
【請求項７】
前記振動板が光透過性部材により構成される
請求項１に記載の映像表示装置。
【請求項８】
複数の前記加振部を備える
請求項１に記載の音声出力装置。
【請求項９】
前記加振部が、ピエゾアクチュエータにより構成される
請求項３に記載の音声出力装置。
【請求項１０】
前記ピエゾアクチュエータは、当接面を備え、
前記ピエゾアクチュエータの当接面が前記端面に当接する
請求項９に記載の音声出力装置。
【請求項１１】
光提供部の背面側に振動板の所定面が配され、加振部により、前記所定面に略直交する方向への振動が提供される
音声出力装置における音声出力方法。
【請求項１２】
表示パネルと、
所定面を有し、前記表示パネルの背面側に前記所定面が位置される振動板と、
前記所定面に略直交する方向への振動を提供する加振部と
を備える映像表示装置。
【請求項１３】
前記振動板は、前記表示パネルの周囲を囲う枠体である
請求項１２に記載の映像表示装置。
【請求項１４】
前記振動板が光透過性部材により構成される
請求項１２に記載の映像表示装置。
【請求項１５】
前記所定面は、第１の所定面と、前記第１の所定面に対して略直交する第２の所定面とを含み、
前記加振部は、前記第１の所定面に略直交する方向への振動を提供する第１の加振部と、前記第２の所定面に略直交する方向への振動を提供する第２の加振部とを含む
請求項１２に記載の映像表示装置。
【請求項１６】
前記振動板は、複数のコーナー部を有し、
前記複数のコーナー部のうちの少なくとも一のコーナー部が、前記第２の加振部の加振方向に位置されるように、前記振動板が構成される
請求項１５に記載の映像表示装置。
【発明の詳細な説明】
【技術分野】
【０００１】
本開示は、音声出力装置、音声出力方法および映像表示装置に関する。
【背景技術】
【０００２】
振動板をアクチュエータにより振動させ、音声を出力するスピーカ装置が提案されている（例えば、下記特許文献１を参照のこと）。
【先行技術文献】
【特許文献】
【０００３】
【特許文献１】特許第４８２１５８９号
【発明の概要】
【発明が解決しようとする課題】
【０００４】
特許文献１に記載のスピーカ装置は、スピーカ装置が適用される装置によっては、アクチュエータがユーザに見えてしまうおそれがある、という問題があった。【０００５】
したがって、本開示の目的の一つは、上記問題を解決し得る音声出力装置、音声出力方法および映像表示装置に関する。
【課題を解決するための手段】
【０００６】
上述した課題を解決するために、本開示は、例えば、
所定面を有し、光提供部の背面側に所定面が位置される振動板と、
所定面に略直交する方向への振動を提供する加振部と
を備える音声出力装置である。【０００７】
本開示は、例えば、
光提供部の背面側に振動板の所定面が配され、加振部により、所定面に略直交する方向への振動が提供される
音声出力装置における音声出力方法である。【０００８】
本開示は、例えば、
表示パネルと、
所定面を有し、表示パネルの背面側に所定面が位置される振動板と、
所定面に略直交する方向への振動を提供する加振部と
を備える映像表示装置である。
【発明の効果】
【０００９】
少なくとも一つの実施形態によれば、振動板を加振する加振部を適切な位置に配置できる。なお、本明細書に記載された効果はあくまで例示あって限定されるものではなく、また例示した効果と異なる効果が存在することを否定するものではない。
【図面の簡単な説明】
【００１０】
【図１】映像表示装置の一部の構成の一例を説明するための図である。
【図２】ベゼルの構成の一例を説明するための図である。
【図３】Ａは、ベゼルの構成の一例を説明するための図であり、Ｂは、ａ−ａ線から見たベゼルの断面の一例を示す図であり、Ｃは、ｂ−ｂ線から見たベゼルの断面の一例を示す図である。
【図４】ベゼルの構成の一例およびベゼルに取り付けられるアクチュエータの一例を説明するための図である。
【図５】表示パネルとアクチュエータとの位置関係の一例を説明するための図である。
【図６】リアカバーを外した状態で、映像表示装置を背面から見た場合の構成の一例を説明するための図である。
【図７】映像表示装置を側面から見た場合の構成の一例を説明するための図である。
【図８】ＡおよびＢは、アクチュエータの構成の一例を説明するための図である。
【図９】アクチュエータの取付機構の構成の一例を説明するための図である。
【図１０】音響システムの構成の一例を説明するための図である。
【図１１】Ａは、中域の音声の再生を説明するための図であり、Ｂは、高域の音声の再生を説明するための図である。
【図１２】音響システムの外観および音響システムにより再生される音声を模式的に示した図である。
【図１３】ＡおよびＢは、加振位置の違いに基づく音圧等の違いを説明するための図である。
【図１４】第２の実施形態における映像表示装置の構成の一例を説明するための図である。
【図１５】音波の放射方向を説明するための図である。
【図１６】第２の実施形態の映像表示装置による音波の放射方向を説明するための図である。
【図１７】所定のアクチュエータによる加振方向の一例を説明するための図である。
【図１８】所定のアクチュエータによる加振方向の他の例を説明するための図である。
【図１９】応用例における照明装置の外観の一例を説明するための図である。
【図２０】応用例における照明装置の内部の構成の一例を説明するための図である。
【図２１】応用例における携帯端末の外観の一例を説明するための図である。
【図２２】応用例におけるパーソナルコンピュータの外観の一例を説明するための図である。
【発明を実施するための形態】
【００１１】
以下、本開示の複数の実施形態について図面を参照しながら説明する。説明は以下の順序で行う。
＜１．第１の実施形態＞
＜２．第２の実施形態＞
＜３．応用例＞
＜４．変形例＞
以下に説明する実施形態等は本開示の好適な具体例であり、本開示の内容がこれらの実施形態等に限定されるものではない。なお、下記の説明において、説明の便宜を考慮して前後左右等の方向を規定する表現を使用するが、本開示の内容がこれらの方向に限定されるものではない。また、図面における各構成の長さ、厚み等は、説明の便宜を考慮して、適宜、拡大または縮小している。
【００１２】
＜１．第１の実施形態＞
「映像表示装置の構成の一例」
第１の実施形態は、本開示の音声出力装置を映像表示装置に適用した例である。映像表示装置は、例えば、テレビジョン放送に基づく映像を表示する装置である。映像表示装置は、床、棚、台などの水平面に載置される据置型のほか、壁などに掛ける壁掛型として使用することができる。
【００１３】
図１は、映像表示装置の一部の構成を説明するための分解斜視図である。映像表示装置１は、表示パネル１００と、ベゼル１０１と、バックシャーシ１０２と、リアカバー１０３とを含む。
【００１４】
映像表示装置１の最前面に液晶セルを含む表示パネル１００が配置される。表示パネル１００によりユーザに対して映像が提示される側を前面側と適宜、称し、反対側を背面側と適宜、称する。表示パネル１００は、光提供部の一例として機能する。なお、光提供部は、ユーザに対して光を提供するものであり、それ自体が発光するものでもよく、他の光源による光に基づいて発光するものでもよい。
【００１５】
表示パネル１００の周囲に、枠板状（額縁状）のベゼル１０１が取り付けられる。ベゼル１０１は、音響振動板の一例として機能するものである。このため、ベゼル１０１は、音響特性の優れる部材により構成されることが好ましい。好ましくは、ベゼル１０１は、アクリル板または難燃性に優れるポリカーボネートにより構成されるが、これに限定されるものではない。
【００１６】
さらに、ベゼル１０１は、例えば、光透過性部材からなり、好ましくは透明とされる。光透過性部材によりベゼル１０１を構成することにより、デザイン性に優れた映像表示装置１を提供することができる。
【００１７】
表示パネル１００の背面にバックシャーシ１０２が取り付けられる。バックシャーシ１０２は、表示パネル１００の背面を覆う略平板状の部材である。バックシャーシ１０２は、アルミニウム（Ａｌ）などの金属板により構成される。
【００１８】
映像表示装置１の背面は、リアカバー１０３により覆われる。リアカバー１０３は、例えば、鉄（Ｆｅ）などの金属よりなる平板状の部材により構成されている。リアカバー１０３は、ベゼル１０１の背面側およびバックシャーシ１０２の背面側を覆うとともに、これらに取り付けられる。
【００１９】
なお、図１における映像表示装置１の各部の形状等は、簡略化して示している。さらに、図１では、映像表示装置１の各部を固定するための、ビス、ねじ穴等の図示を適宜、省略している。
【００２０】
図２を参照して、ベゼル１０１について詳細に説明する。ベゼル１０１は、例えば、上辺板部１１０と、下辺板部１１１と、右辺板部１１２と、左辺板部１１３とを有する枠体として構成される。下辺板部１１１の内部には、映像表示装置１の構成に対応して、ＬＥＤ(Light Emitting Diode)やインジケータ、各種センサが内蔵される場合がある。なお、図２における点線は、各板部の境界の一例を示すものであり、特別の意味を有するものではない。
【００２１】
各板部は、前面側および背面側にそれぞれ板面を有するとともに、外側側面および内側側面を有する。すなわち、上辺板部１１０は、外側側面１１０ａおよび内側側面１１０ｂを有する。下辺板部１１１は、外側側面１１１ａおよび内側側面１１１ｂを有する。右辺板部１１２は、外側側面１１２ａおよび内側側面１１２ｂを有する。左辺板部１１３は、外側側面１１３ａおよび内側側面１１３ｂを有する。
【００２２】
第１の実施形態では、右辺板部１１２の内側側面１１２ｂおよび左辺板部１１３の内側側面１１３ｂが、所定面の一例とされる。ピエゾアクチュエータ等の加振部が、例えば、ベゼル１０１に取り付けられる。この加振部により、所定面に略直交する方向への振動が提供される。略直交とは、直交のほか、加振部および所定面の構造等に起因する若干の誤差を許容する意味である。
【００２３】
ベゼル１０１の背面側には、１以上の突部が形成される。この例では、ベゼル１０１の背面側に４の突部が形成される。すなわち、右辺板部１１２の背面側に突部１１５および突部１１６が形成される。さらに、左辺板部１１３の背面側に突部１１７および突部１１８が形成される。各突部は、インサート成形等によりベゼル１０１と一体的に形成されてもよく、ベゼル１０１と別個に形成された後に接着剤等によりベゼル１０１に取り付けられるようにしてもよい。
【００２４】
各突部は、例えば、端面を有する三角柱形状とされる。もちろん、各突部は、適宜な形状とすることができる。突部１１５は、端面１１５ａを有する。この例では、端面１１５ａが内側側面１１２ｂと同一平面とされるが、突部１１５を右辺板部１１２の中央付近に形成し、端面１１５ａが内側側面１１２ｂと略平行な面とされてもよい。
【００２５】
突部１１６は、端面１１６ａを有する。この例では、端面１１６ａが内側側面１１２ｂと同一平面とされるが、突部１１６を右辺板部１１２の中央付近に形成し、端面１１６ａが内側側面１１２ｂと略平行な面とされてもよい。
【００２６】
突部１１７は、端面１１７ａを有する。この例では、端面１１７ａが内側側面１１３ｂと同一平面とされるが、突部１１３を左辺板部１１３の中央付近に形成し、端面１１７ａが内側側面１１３ｂと略平行な面とされてもよい。
【００２７】
突部１１８は、端面１１８ａを有する。この例では、端面１１８ａが内側側面１１３ｂと同一平面とされるが、突部１１８を左辺板部１１３の中央付近に形成し、端面１１８ａが内側側面１１３ｂと略平行な面とされてもよい。
【００２８】
図３Ａは、ベゼル１０１を背面側から見た図である。図３Ｂは、ａ−ａ線でベゼル１０１を切断し、ベゼル１０１を矢印の方向から見た図である。図３Ｃは、ｂ−ｂ線でベゼル１０１を切断し、ベゼル１０１を矢印の方向から見た図である。
【００２９】
図３Ｂに示すように、ベゼル１０１の右辺板部１１２の背面側の板面に、突部１１５および突部１１６が形成されている。右辺板部１１２の内側側面１１２ｂの幅（短手方向の長さ）Ｗ１は、例えば、３ｍｍ（ミリメートル）から５ｍｍ程度に設定される。
【００３０】
突部の端面（突部１１５の端面１１５ａおよび突部１１６の端面１１６ａ）の幅Ｗ２は、例えば、内側側面１１２ｂの幅と同程度（例えば、３ｍｍから５ｍｍ程度）に設定される。幅Ｗ２の大きさが幅Ｗ１の大きさと異なるようにしてもよい。詳細は後述するが、各突部の端面に対して、アクチュエータの当接面が当接する。このため、各突部の端面の大きさは、少なくとも、アクチュエータの当接面の大きさより大きくなるように設定される。
【００３１】
図３Ｃに示すように、ベゼル１０１の右辺板部１１２の背面側の板面に突部１１５が形成されている。ベゼル１０１の左辺板部１１３の背面側の板面に突部１１７が形成されている。上述したように、各突部は、例えば、三角柱形状であるが、これに限定されるものではない。この例では、突部１１５の端面１１５ａと右辺板部１１２の内側側面１１２ｂとが同一平面に設定される。また、突部１１７の端面１１７ａと左辺板部１１３の内側側面１１３ｂとが同一平面に設定される。
【００３２】
ベゼル１０１に対して、１以上の加振部が取り付けられる。加振部は、例えば、安価かつ小型化が可能はピエゾアクチュエータが使用される。もちろん、磁歪アクチュエータ等の他のものが使用されてもよい。例えば、図４に示すように、ベゼル１０１に形成される突部の数に対応して、４のアクチュエータ（アクチュエータ１２１，１２２,１２３，１２４）がベゼル１０１に取り付けられる。各アクチュエータは、ネジ等の取付機構を介してベゼル１０１に取り付けられる。アクチュエータに対応して、４の取付機構（取付機構１３１,１３２，１３３,１３４）がベゼル１０１に取り付けられる。
【００３３】
例えば、取付機構１３１は、ベゼル１０１の突部１１５付近に取り付けられるとともに、アクチュエータ１２１を支持する。取付機構１３１は、アクチュエータ１２１の当接面が突部１１５の端面１１５ａに当接するように、アクチュエータ１２１を支持する。
【００３４】
例えば、取付機構１３２は、ベゼル１０１の突部１１６付近に取り付けられるとともに、アクチュエータ１２２を支持する。取付機構１３２は、アクチュエータ１２２の当接面が突部１１６の端面１１６ａに当接するように、アクチュエータ１２２を支持する。
【００３５】
例えば、取付機構１３３は、ベゼル１０１の突部１１７付近に取り付けられるとともに、アクチュエータ１２３を支持する。取付機構１３３は、アクチュエータ１２３の当接面が突部１１７の端面１１７ａに当接するように、アクチュエータ１２３を支持する。
【００３６】
例えば、取付機構１３４は、ベゼル１０１の突部１１８付近に取り付けられるとともに、アクチュエータ１２４を支持する。取付機構１３４は、アクチュエータ１２４の当接面が突部１１８の端面１１８ａに当接するように、アクチュエータ１２４を支持する。
【００３７】
図５における点線は、ベゼル１０１により支持される表示パネル１００の位置の一例を示す。映像表示装置１の前面側から見た場合、表示パネル１００の背面側に内側側面１１２ｂおよび内側側面１１３ｂが位置される。すなわち、映像表示装置１のユーザが視認できない領域（不可視領域）にベゼル１０１の内側側面１１２ｂおよび内側側面１１３ｂが位置される。さらに、内側側面１１２ｂおよび内側側面１１３ｂに略直交する方向への振動を提供するアクチュエータおよびアクチュエータの取付機構が表示パネル１００の背面側に位置される。
【００３８】
ここで、想定技術（先行技術ではない）として、ベゼル１０１の背面側の板面にアクチュエータ等の振動素子を取り付け、当該振動素子を振動させることによりベゼル１０１を振動させることも考えられる。しかしながら、ベゼル１０１を、例えば、透明な部材により構成した場合に、ベゼル１０１の板面に取り付けたアクチュエータがユーザに見えてしまうという問題があり、デザイン上、好ましくない。この例では、アクチュエータおよびアクチュエータの取付機構が表示パネル１００の背面側に位置されるため、アクチュエータおよびアクチュエータの取付機構がユーザに見えてしまうことを防止できる。すなわち、デザイン性に優れた映像表示装置１を提供できる。
【００３９】
上述したように、表示パネル１００の背面には、バックシャーシ１０２が取り付けられる。図６は、リアカバー１０３を除く映像表示装置１を背面側から見た場合の構成の一例を示す。バックシャーシ１０２には、回路基板などが取り付けられる。図６では、回路基板等の図示を適宜、省略している。
【００４０】
バックシャーシ１０２の背面側（表示パネル１００の背面側と同じ側）には、音声出力部の一例であるスピーカが取り付けられる。例えば、Ｌチャンネル用のスピーカ１４１およびＲチャンネル用のスピーカ１４２が、バックシャーシ１０２の背面側にとりつけられる。
【００４１】
図７は、映像表示装置１を側面（例えば、左辺板部１１３の外側側面１１３ａ側）から見た場合の構成の一例を示す。映像表示装置１の前面側に表示パネル１００が配置される。表示パネル１００は、最前面の側から順に、例えば、前面ガラス１４５と、液晶層（図示は省略している）を有するセル１４６と、拡散板等の光学シート１４７と、導光板１４８と、反射板１４９とを含む構成とされる。もちろん、これらの構成は、映像表示装置１の構成に応じて異なるものである。
【００４２】
表示パネル１００の背面側にバックシャーシ１０２が取り付けられる。バックシャーシ１０２の背面側に、スピーカ１４２が取り付けられる。スピーカ１４２は、例えば、スピーカボックス１５１とスピーカ本体１５２とを含む。スピーカボックス１５１は、例えば、金属製の箱体であり、内部にスピーカ本体１５２を収納し、スピーカ本体１５２を所定の状態に支持するものである。スピーカボックス１５１は、例えば、スピーカ本体１５２を鉛直に支持する。これにより、映像表示装置１を薄型化することができる。
【００４３】
スピーカ本体１５２は、小型のダイナミックスピーカにより構成され、コーナー付近がカットされた箱体とされる。もちろん、スピーカ本体１５２の形状等は、適宜、他の形状等を用いることができる。スピーカ本体１５２の放音孔は、下側を向いている。このため、スピーカ本体１５２からベゼル１０１の下辺板部１１１に向けて、音声が再生される。スピーカ１４１の構成は、例えば、スピーカ１４２と同様の構成とされる。なお、音声とは、人の声、音楽など、人の耳によって聴取される種々の「音」が含まれる。バックシャーシ１０２の背面側にリアカバー１０３が取り付けられる。
【００４４】
映像表示装置１が壁掛式として使用される場合は、リアカバー１０３の背面側に壁部が配置される。ベゼル１０１と壁部の壁面との間の距離は、例えば、２ｍｍ〜５ｍｍとなるように設定される。
【００４５】
「ピエゾアクチュエータの構成の一例」
図８を参照して、アクチュエータ１２３の構成の一例について説明する。アクチュエータ１２１等の他のアクチュエータの構成は、アクチュエータ１２３の構成と同一とされる。アクチュエータ１２３は、例えば、積層型のピエゾアクチュエータとして構成される。
【００４６】
図８Ａは、アクチュエータ１２３の概略的な斜視図である。図８Ｂは、アクチュエータ１２３の概略的な断面図である。図８Ａに示すように、アクチュエータ１２３は、例えば、２の端面と、４の側面とを有する略直方体の圧電セラミック薄板積層体１５３を含む。圧電セラミック薄板積層体１５３の２の端面のうち、１の端面が当接面として機能する。４の側面のうち対向する２の側面に、外部電極１５５および外部電極１５６が形成される。
【００４７】
圧電セラミック薄板積層体１５３の端面の大きさは、例えば、２ｍｍ×２ｍｍ程度にすることができる。また、圧電セラミック薄板積層体１５３の長さ（側面の長手方向の長さ）は、例えば、１８ｍｍ程度にすることができる。
【００４８】
図８Ｂに示すように、圧電セラミック薄板積層体１５３の内部は、内部電極１５７と内部電極１５８とが交互に積層されるとともに、多数の圧電セラミック薄板（図示は省略している）が積層された構成とされる。内部電極１５７は、外部電極１５５に接続される。内部電極１５８は、外部電極１５６に接続される。
【００４９】
信号源１５９から供給される信号電圧Ｖｓを外部電極１５５、外部電極１５６間に印加すると、圧電セラミック薄板積層体１５３内部の多数の圧電セラミック薄板が厚さ方向に変位する。アクチュエータ１２３は、それぞれの変位の総和分、積層方向に変位して振動する。
【００５０】
ピエゾアクチュエータは磁歪アクチュエータとは異なり、磁界バイアスが必要ないため、アクチュエータをよりシンプルに構成することができ、アクチュエータ１２３の小型化を図ることができる。さらに、ピエゾアクチュエータは、発生応力および応答速度が大きいという利点がある。
【００５１】
「アクチュエータの取り付け例」
図９を参照して、アクチュエータ１２３の取り付けの一例について説明する。なお、アクチュエータ１２１等の他のアクチュエータの取り付け方法は、アクチュエータ１２３の取り付け方法と略同様とされる。
【００５２】
アクチュエータ１２３は、取付機構１３３によりベゼル１０１に取り付けられる。取付機構１３３は、ホルダ１６１を含む。ホルダ１６１がベゼル１０１の左辺板部１１３の取り付け孔に対して、ネジ１６２およびネジ１６３等により取り付けられる。ホルダ１６１は、例えば、ＡＢＳ樹脂により構成される。
【００５３】
なお、図９では、ホルダ１６１の内部（断面）を説明するために、ホルダの図示を一部省略している。例えば、ホルダ１６１と略対称の形状のホルダが取付孔１７０に取り付けられ、当該ホルダとホルダ１６１とが一体的な構成とされる。
【００５４】
アクチュエータ１２３は、ホルダ１６１の内部に収納され、保持される。アクチュエータ１２３の圧電セラミック薄板積層体１５３の一方の端面が、突部１１７の端面１１７ａに当接する。これにより、ピエゾアクチュエータ１２３の振動が、ベゼル１０１に伝達される。
【００５５】
アクチュエータ１２３の圧電セラミック薄板積層体１５３の一方の端面が、係止部材１６５に当接する。さらに、アクチュエータ１２３に対して、コイルスプリング１６６により所定の荷重が与えられている。すなわち、係止部材１６５とコイルスプリング１６６により、アクチュエータ１２３が荷重に応じて縮んだ状態で、ホルダ１６１内に保持される。
【００５６】
なお、係止部材１６５は、サウンドアースとして機能し、音質および音圧に寄与する部材である。係止部材１６５として、例えば、比重が大きく響きのよい真鍮が使用される。もちろん、ターゲットする音質等に応じて、真鍮以外の部材を係止部材１６５として適用することができる。さらに、アクチュエータ１２３に対して荷重を与えられるものであれば、コイルスプリング以外のものを使用することができる。
【００５７】
信号ライン１６７は、外部電極１５５および外部電極１５６に接続される。信号ライン１６７を介して、所定の音声信号がアクチュエータ１２３に供給される。供給される音声信号に応じて、アクチュエータ１２３が振動する。アクチュエータ１２３が動作することにより、端面１１７ａに略直交する方向への振動が提供される。アクチュエータ１２３による振動が、端面１１７ａを介して、ベゼル１０１に伝達され、ベゼル１０１が振動する。
【００５８】
「音声信号の再生」
図１０を参照して、映像表示装置１による音声信号の再生の一例について、説明する。なお、図１０では、説明の便宜上、アクチュエータ１２３等を実線により示しているが、これらの構成は表示パネル１００の背面側に位置されるため、実際は見えないものである。
【００５９】
この例では、映像表示装置１は、支柱１７２により台座ボックス１７３に取り付けられており、映像表示装置１と台座ボックス１７３とにより音響システムが構築されている。台座ボックス１７３は、Ｌチャンネル用のスピーカ１７３ａおよびＲチャンネル用のスピーカ１７３ｂを内蔵する。スピーカ１７３ａおよびスピーカ１７３ｂは、それぞれボイスコイルおよびコーン等を有する通常のスピーカであり、スピーカの前面が略上方に向けられる。
【００６０】
ＤＳＰ(Digital Signal Processor)１７５に対して、音声信号（例えば、ステレオ音声信号）が供給される。ＤＳＰ１７５に対して、光記録媒体や半導体メモリから音声信号が供給されてもよく、ネットワーク等から音声信号が供給されてもよい。ＤＳＰ１７５は、供給されるステレオ音声信号に対して、周波数補正等のデジタル音声信号処理を施す。ＤＳＰ１７５によるデジタル音声信号処理が施された後に、デジタル音声信号をアナログ音声信号に変換する処理がＤＳＰ１７５により行われる。この処理により、アナログ音声信号である、左チャンネル用の音声信号ＳＬおよび右チャンネル用の音声信号ＳＲが得られる。
【００６１】
音声信号ＳＬが音声信号増幅回路１７６に供給される。音声信号増幅回路１７６により音声信号ＳＬが増幅された後に、音声信号ＳＬがアナログハイパスフィルタ（ＨＰＦ）１８０、アナログバンドパスフィルタ（ＢＰＦ）１８１およびアナログローパスフィルタ（ＬＰＦ）１８２のそれぞれに供給される。アナログＨＰＦ１８０、アナログＢＰＦ１８１およびアナログＬＰＦ１８２により、音声信号ＳＬが高域成分の音声信号ＨＳＬ、中域成分の音声信号ＭＳＬおよび低域成分の音声信号ＬＳＬに分離される。
【００６２】
音声信号ＨＳＬが、アクチュエータ１２１およびアクチュエータ１２２に対して供給される。アクチュエータ１２１およびアクチュエータ１２２は、音声信号ＨＳＬに応じて振動する。アクチュエータ１２１およびアクチュエータ１２２による振動がベゼル１０１に伝達され、ベゼル１０１が振動する。
【００６３】
音声信号ＭＳＬがスピーカ１４１に供給される。そして、スピーカ１４１から音声信号ＭＳＬに基づく音声が再生される。
【００６４】
音声信号ＬＳＬがスピーカ１７３ａに対して供給される。そして、スピーカ１７３ａから音声信号ＬＳＬに基づく音声が再生される。
【００６５】
音声信号ＳＲが音声信号増幅回路１７７に供給される。音声信号増幅回路１７７により音声信号ＳＲが増幅された後に、音声信号ＳＲがアナログＨＰＦ１８３、アナログＢＰＦ１８４およびアナログＬＰＦ１８５のそれぞれに供給される。アナログＨＰＦ１８３、アナログＢＰＦ１８４およびアナログＬＰＦ１８５により、音声信号ＳＲが高域成分の音声信号ＨＳＲ、中域成分の音声信号ＭＳＲおよび低域成分の音声信号ＬＳＲに分離される。
【００６６】
音声信号ＨＳＲが、アクチュエータ１２３およびアクチュエータ１２４に対して供給される。アクチュエータ１２３およびアクチュエータ１２４は、音声信号ＨＳＲに応じて振動する。アクチュエータ１２３およびアクチュエータ１２４による振動がベゼル１０１に伝達され、ベゼル１０１が振動する。
【００６７】
音声信号ＭＳＲがスピーカ１４２に供給される。そして、スピーカ１４２から音声信号ＭＳＲに基づく音声が再生される。
【００６８】
音声信号ＬＳＲがスピーカ１７３ｂに対して供給される。そして、スピーカ１７３ｂから音声信号ＬＳＲに基づく音声が再生される。
【００６９】
このように、映像表示装置１は、ベゼル１０１を振動させることにより、第１の音声信号の一例である、高域の音声を出力する。第２の音声信号の一例である中域の音声は、映像表示装置１に取り付けられたスピーカから出力される。低域の音声は、映像表示装置１とは、別個に設けられたスピーカから出力される。もちろん、映像表示装置１に低域の音声を再生するスピーカが取り付けられてもよい。なお、高域、中域および低域のそれぞれ帯域は、適宜、設定することができる。それぞれの帯域が異なるようにしてもよく、一部、重複する帯域があってもよい。
【００７０】
なお、スピーカ１４１およびスピーカ１４２から出力される音声は、下側に向かって出力される。しかしながら、図１１Ａに模式的に示すように、ベゼル１０１の下辺板部１１１を反射板として機能させることにより、スピーカ１４１およびスピーカ１４２から出力される音声（音波）が映像表示装置１の背面側に向かうことを防止できる。すなわち、ベゼル１０１は、スピーカ１４１およびスピーカ１４２により再生される音声を表示パネル１００の前面側に反射するように構成される。
【００７１】
ベゼル１０１を振動板として機能させることにより、高域の音声信号を再生することができる。ベゼル１０１全体が比較的、均一に振動することにより音波が発生することから、高域の音声が全体にわたって定位する。図１１Ｂは、ベゼル１０１の振動により発生する音波を模式的に示している。なお、スピーカボックス１５１がスピーカ本体１５２を下辺板部１１１に向けて傾けて支持し、スピーカ本体１５２から下辺板部１１１に向かって音声を再生するようにしてもよい。
【００７２】
ここで、映像表示装置１が壁掛式の場合は、映像表示装置１の背面側には壁部が存在する。また、映像表示装置１が据置側の場合でも、映像表示装置１は、通常、壁際に位置されるため映像表示装置１の背面側に壁部が存在する場合が多く、ベゼル１０１の背面側が壁部に近接することが通常である。このため、ベゼル１０１が振動することによりベゼル１０１の背面側から発生する逆位相の音波は前面側には出てこず、前面側への音波と干渉し音響的な悪影響を及ぼすことはない。
【００７３】
図１２は、音響システムの外観の一例および再生される音声を模式的に示したものである。映像表示装置１のベゼル１０１が振動することにより、高域の音声ＨＳが再生される。映像表示装置１のスピーカにより中域の音声ＭＳが再生され、さらに、音声ＭＳがベゼル１０１の下辺板部１１１により反射され、音声ＭＳが映像表示装置１の前面側に再生される。台座ボックス１７３内のスピーカにより低域の音声ＬＳが再生される。例示した構成のほかに、音響システムがサブウーファー等のスピーカを含むようにしてもよい。
【００７４】
「加振位置の違いに基づく効果の一例」
本開示では、一例として、加振位置を突部の端面としている。すなわち、突部の端面に対してアクチュエータを当接させ、当該突部の端面にアクチュエータによる振動を与えるようにしている。
【００７５】
ここで、振動板として機能するベゼルが平板状の部材である場合には、図１３Ａに示すように、平板状のベゼル１８７の背面側の中心付近（ａ点）を加振位置とすることが考えられる。すなわち、平板状のベゼル１８７の背面側の板面の中心付近に、アクチュエータ１８８を変位方向が板面に垂直な方向となるように当接させ、アクチュエータ１８８を振動させる。
【００７６】
しかしながら、この場合には、矢印１８９ａに示すように、ベゼル１８７の中心部で振動の振幅が最大となるものの、矢印１８９ｂおよび矢印１８９ｃにより示すように、加振位置から離れた箇所の振動の振幅が小さくなる。加振位置が点音源になるため、ベゼル１８７が全体に渡って均一に振動しない、という問題がある。さらに、ベゼル１８７が透明な部材である場合には、アクチュエータ等がユーザに見えてしまい、デザイン的に好ましくない、という問題もある。
【００７７】
一方、図１３Ｂに示すように、ベゼル１０１の内側側面（ｂ点）に対してアクチュエータを当接させ、アクチュエータにより内側側面に略直交する方向へ振動を与えることが考えられる。この場合には、加振位置が面音源となり、比較的、ベゼル１０１を全体に渡って均一に振動させることができ、均一なレベルの音波を放射させることができる。さらに、ベゼル１０１の背面側にアクチュエータ等の加振源を必要としないため、映像表示装置１をデザイン的に優れたものとすることができる。
【００７８】
本開示における実施形態では、一例として、突部の端面（ｃ点）を加振位置としている。加振位置をｃ点とすることにより、加振位置付近の振動を大きくすることができ、音圧を大きくすることができる。さらに、ベゼル１０１を全体に渡り振動させることができる。すなわち、加振位置をｃ点とした場合の振動の傾向は、加振位置をａ点とした場合の振動の傾向と、加振位置をｂ点とした場合の振動の傾向との中間に位置する振動の傾向となる。
【００７９】
さらに、突部を設けることにより、アクチュエータの取付機構が振動板面に対してオフセットできる。例えば、アクチュエータを保持するホルダ等が振動板面より前面側にせり出すことを防止できる。
【００８０】
＜２．第２の実施形態＞
次に、第２の実施形態について説明する。なお、第２の実施形態において第１の実施形態と同一の構成については、同一の符号を付し、重複した説明を省略する。
【００８１】
「映像表示装置の構成の一例」
図１４は、第２の実施形態における映像表示装置２を、背面側から見た構成の一例を示す図である。ベゼルの形状の一部およびアクチュエータが取り付けられる位置を除いては、映像表示装置２の構成は、映像表示装置１の構成と略同様である。
【００８２】
映像表示装置２のバックシャーシ２０２には、映像表示装置１と同様に、Ｌチャンネル用のスピーカ１４１およびＲチャンネル用のスピーカ１４２が取り付けられる。
【００８３】
映像表示装置２は、映像表示装置１と同様に、額縁状のベゼル２０１を有する。ベゼル２０１は、上辺板部２１０と、下辺板部２１１と、右辺板部２１２と、左辺板部２１３とを含む。
【００８４】
右辺板部２１２は、外側側面２１２ａと、内側側面２１２ｂとを有する。右辺板部２１２の背面側には、突部１１５が形成されている。突部１１５の端面１１５ａに対してアクチュエータ１２１の当接面が当接している。アクチュエータ１２１は、取付機構１３１によりベゼル２０１に取り付けられている。アクチュエータ１２１が第１の加振部の一例とされる。なお、突部１１５やアクチュエータ１２１、取付機構１３１の詳細は、第１の実施形態で説明しているため、重複した説明を省略する。
【００８５】
左辺板部２１３は、外側側面２１３ａと、内側側面２１３ｂとを有する。左辺板部２１３の背面側には、突部１１７が形成されている。突部１１７の端面１１７ａに対してアクチュエータ１２３の当接面が当接している。アクチュエータ１２３は、取付機構１３３によりベゼル２０１に取り付けられている。アクチュエータ１２３が第１の加振部の一例とされてもよい。なお、突部１１７やアクチュエータ１２３、取付機構１３３の詳細は、第１の実施形態で説明しているため、重複した説明を省略する。
【００８６】
右辺板部２１２の下端付近に、凹部２２０が形成されている。凹部２２０は、内側側面２１２ｂと略直交する側面２２１を有する。側面２２１が第２の所定面の一例とされる。さらに、右辺板部２１２の背面側の板面には、突部２２２が形成されている。突部２２２は、側面２２１と同一平面または側面２２１と平行な面である、端面２２２ａを有する。端面２２２ａに対して、アクチュエータ１２２の当接面が当接する。アクチュエータ１２２は、例えば、第１の実施形態と同様にして、取付機構１３２によりベゼル２０１に取り付けられる。アクチュエータ１２２が第２の加振部の一例とされる。
【００８７】
左辺板部２１３の下端付近に、凹部２２５が形成されている。凹部２２５は、内側側面２１３ｂと略直交する側面２２６を有する。側面２２６が第２の所定面の一例とされてもよい。さらに、左辺板部２１３の背面側の板面には、突部２２７が形成されている。突部２２７は、側面２２６と同一平面または側面２２６と平行な面である、端面２２７ａを有する。端面２２７ａに対して、アクチュエータ１２４の当接面が当接される。アクチュエータ１２４は、例えば、第１の実施形態と同様にして、取付機構１３４によりベゼル２０１に取り付けられる。アクチュエータ１２４が第２の加振部の一例とされてもよい。
【００８８】
「映像表示装置による音声の再生」
第２の実施形態では、アクチュエータ１２２およびアクチュエータ１２４により、ベゼル２０１に対して、下方から上方に向かう振動を提供する。ここで、アクチュエータにより振動板を加振する場合には、加振位置（加振点）近傍からは即座に音声が放音されるのに対して、加振位置からもっとも離れた箇所では、加振位置からの振動が伝達されるまでに若干の時間を要する。このため、振動板全体から放射される音波面は、振動板材料の音速（固体中（振動板中）を伝搬する縦波の速度）に依存した角度を持った波面となる。
【００８９】
図１５を参照して、具体的に説明する。図１５は、映像表示装置２を左辺板部２１３の外側側面２１３ａ側から見た図である。図１５では、図示を一部簡略化している。例えば、アクリル板からなるベゼル２０１に対して、下部に設けたアクチュエータ１２４等により、音声信号に応じた振動が提供される。
【００９０】
この場合、加振位置近傍のベゼル２０１の下部付近からは即座に音声が放音されるのに対して、加振位置から離れたベゼル２０１の上部付近からは若干、遅れて音声が放音されることになる。したがって、図１５に示すように、ベゼル２０１の前面から放音される音声の音波面Ａｕは、点線で示したベゼル２０１の前面に平行な面に対して、角度αを有するものになる。角度αをもって上方に向かうように音波面Ａｕが伝搬することにより、ベゼル２０１の振動により発生する音声がこもらず、リスナーにとって明瞭に再生される。ベゼル２０１が、例えば、アクリル板により構成される場合には、角度αは１２〜１３度程度になる。なお、図１５および後述の図１６では、音波の放射方向が矢印により模式的に示されている。
【００９１】
図１６は、ベゼル２０１の振動により再生される音声の音波の伝搬を模式的に示した図であり、同図において、ベゼル２０１の上面および側面から見た音波の放射方向が示されている。上述したように、アクチュエータ１２２およびアクチュエータ１２４による振動に応じて、音波の放射方向は下方から上方に向かう。
【００９２】
一方、アクチュエータ１２１およびアクチュエータ１２３の振動により、右辺板部２１２付近および左辺板部２１３付近では即座に音声が放音される。加振位置から離れた箇所（例えば、上辺板部２１０の中央付近および下辺板部２１１の中央付近）では遅れて音声が放音される。すなわち、アクチュエータ１２１の振動およびアクチュエータ１２３の振動により発生する音波は、左右方向に角度αをもって伝搬する。
【００９３】
アクチュエータ１２１およびアクチュエータ１２３の振動に基づく音声により、音響的な広がり感をユーザ（リスナー）に提供できる。例えば、映画が映像表示装置２により再生される場合には、臨場感をユーザに提供することができる。さらに、上述した、アクチュエータ１２２およびアクチュエータ１２４の振動に基づく明瞭な音声の再生とあいまって、高品位な再生音場を実現できる。さらに、この例では、ベゼル２０１の振動に基づいて再生される音声は指向性のある高域の音声であるため、ユーザは、指向性の小さい低域の音声に比べて上述した広がり感等をより体感することができる。
【００９４】
なお、アクチュエータ１２２の加振方向に、ベゼル２０１の右コーナーＲＣが位置されるように、ベゼル２０１が構成されてもよい。さらに、アクチュエータ１２４の加振方向に、ベゼル２０１の左コーナーＬＣが位置されるように、ベゼル２０１が構成されてもよい。
【００９５】
例えば、図１７に示すように、アクチュエータ１２２の加振方向に映像表示装置２の表示パネル２００が位置する場合には、アクチュエータ１２２の振動およびこれに基づく右辺板部２１２の振動により発生する音声が表示パネル２００により遮られる場合がある。アクチュエータの加振方向とは、例えば、加振位置から延伸する直線により規定される方向である。同様に、アクチュエータ１２４の振動およびこれに基づく左辺板部２１３の振動により発生する音声が表示パネル２００により遮られる場合がある。
【００９６】
そこで、図１８に示すように、アクチュエータ１２２の加振方向にベゼル２０１の右コーナーＲＣ付近が位置するように、側面２２１および端面２２２ａを傾斜させ、アクチュエータ１２２を配置する。さらに、アクチュエータ１２４の加振方向にベゼル２０１の左コーナーＬＣ付近が位置するように、側面２２６および端面２２７ａを傾斜させ、アクチュエータ１２４を配置する。これにより、アクチュエータの振動およびこれに基づくベゼル２０１の振動が表示パネル２００により遮られることを防止でき、音圧の低下を防止できる。
【００９７】
以上、説明したように、第１および第２の実施形態によれば、デザイン性と高品位な音質とを両立し得る音声出力装置および音声出力装置が適用された映像表示装置を提供できる。
【００９８】
＜３．応用例＞
なお、本開示における音声出力装置は、種々の装置に対して応用が可能である。応用例について説明する。なお、本開示の内容が、下記に説明する応用例に限定されるものではない。
【００９９】
「応用例１」
応用例１は、音声出力装置を照明装置に適用した例である。図１９は、照明装置の外観の一例を示す図である。照明装置３００は、いわゆる電球と同様の外観形状を有し、既存の電灯設備における電球用ソケットに対して、機械的に螺合し電気的に接続可能な形状の口金部３０１と、この口金部３０１の基端側に設けられた基体部３０２と、この基体部３０２と一体的に設けられた略球状の筐体部３０３とを備える。また、照明装置３００は、筐体部３０３の一部に形成されたメッシュ状の音声出力口３０４を備える。
【０１００】
口金部３０１は、例えば、電気的導通可能な金属部材からなる。基体部３０２は、例えば、樹脂成形部材からなる。筐体部３０３は、ガラスによって構成されてもよく、樹脂成形部材によって構成されてもよいが、音響に優れた部材より構成されることが好ましい。
【０１０１】
図２０は、照明装置３００の内部構成の一例を示す図である。基体部３０２には、例えば、照明装置３００の基板部３１０が内蔵されている。基板部３１０には、外部の装置から電力および音声信号が供給可能とされている。また、筐体部３０３の内部には、光提供部の一例である、複数のランプ３１１が配設されている。このランプ３１１としては、例えば、ＬＥＤ(Light Emitting Diode)、フィラメント、蛍光灯および有機ＥＬ(Electroluminescence)などが使用される。ランプ３１１は、基板部３１０に対して電気的に接続されており、基板部３１０を介して供給される電力に応じて発光する。ランプ３１１が発光する方向が前面側として設定され、口金部３０１の側が背面側として設定される。
【０１０２】
筐体部３０３の音声出力口３０４の内側には、音声出力をおこなう複数のスピーカ３１５が配設されている。スピーカ３１５に対して、基板部３１０を介して、例えば、中低域の音声信号が供給され、当該音声信号に基づく音声がスピーカ３１５から再生される。
【０１０３】
ランプ３１１に対して背面側における筐体部３０３の内周面（所定面の一例）に、アクチュエータ３２０が取り付けられる。アクチュエータ３２０は、例えば、第１の実施形態と同様に、ピエゾアクチュエータにより構成される。アクチュエータ３２０は、ランプ３１１の背面側に位置されるため、ランプ３１１の光によりアクチュエータ３２０を目立たなくすることができる。
【０１０４】
アクチュエータ３２０に対して、基板部３１０を介して、例えば、高域の音声信号が供給される。供給される高域の音声信号に応じて、アクチュエータ３２０が内周面に略垂直な方向に振動する。アクチュエータ３２０の振動に応じて筐体部３０３が振動し、高域の音声が再生される。このように、本開示における音声出力装置を照明装置に対して適用することができる。
【０１０５】
「応用例２」
応用例２は、本開示における音声出力装置を携帯端末に適用した例である。携帯端末は、スマートフォン、携帯電話、タブレット型コンピュータ等である。図２１は、応用例２における携帯端末４００の外観の一例を示す図である。携帯端末４００は、例えば、光提供部の一例である表示パネル４０１と、表示パネル４０１の周囲に取り付けられる筐体部４０２と、筐体部４０２に配設される操作入力部４０３とを含む構成とされる。表示パネル４０１は、例えば、タッチパネルとして構成され、映像の表示のほか表示パネル４０１を使用した各種の操作入力が可能とされている。
【０１０６】
表示パネル４０１の背面側には、アクチュエータ（図示は省略している）が位置され、当該アクチュエータは、例えば、光透過性部材からなる筐体部４０２に取り付けられる。アクチュエータの配置等については、第１または第２の実施形態で説明した方法を適用できる。携帯端末４００を使用して音声を再生する場合に、例えば、高域の音声信号に基づいてアクチュエータを振動させることにより、筐体部４０２を振動させる。筐体部４０２が振動することにより高域の音声が再生される。
【０１０７】
なお、携帯端末４００が鞄や衣服の中に収納された状態で、音楽が再生される場合がある。このような場合には、筐体部４０２を振動させないようにすることができる。例えば、携帯端末４００の表示パネル４０１とユーザの顔とが略対向した位置にあることが検出され、かつ、携帯端末４００を使用して音声が再生される場合に、筐体部４０２を振動させるようにしてもよい。
【０１０８】
表示パネル４０１とユーザの顔とが略対向した位置にあることを検出する方法として、以下の方法が例示される。例えば、携帯端末４００に撮像装置を設け、ユーザの顔が撮像装置により検出された場合に、表示パネル４０１とユーザの顔とが略対向した位置にある、と判別するようにしてもよい。また、筐体部４０２の所定箇所にセンサを設け、携帯端末４００がユーザに把持されたことが当該センサにより検出された場合に、表示パネル４０１とユーザの顔とが略対向した位置にある、と判別するようにしてもよい。
【０１０９】
「応用例３」
応用例３は、本開示における音声出力装置を据置型のパーソナルコンピュータに適用した例である。図２２は、応用例３におけるパーソナルコンピュータ５００の外観の一例を示す。パーソナルコンピュータ５００は、表示パネル５０１と、表示パネル５０１の周囲に取り付けられる額縁状の枠体部５０２と、キーボードや記録媒体のドライブ等を有するベース５０３を有する。枠体部５０２は、例えば、光透過性部材からなる。
【０１１０】
表示パネル５０１の背面側には、アクチュエータ（図示は省略している）が位置され、当該アクチュエータは、例えば、枠体部５０２に取り付けられる。アクチュエータの配置等については、第１または第２の実施形態で説明した方法を適用できる。パーソナルコンピュータ５００を使用して音声を再生する場合に、例えば、高域の音声信号に基づいてアクチュエータを振動させることにより、枠体部５０２を振動させる。枠体部５０２が振動することにより高域の音声が再生される。このように、本開示における音声出力装置は、幅広い応用が可能である。
【０１１１】
＜４．変形例＞
以上、本開示の実施形態について具体的に説明したが、本開示は、上述の実施形態に限定されるものではなく、本開示の技術的思想に基づく各種の変形が可能である。
【０１１２】
アクチュエータの数および取付位置は、上述した実施形態等の内容に限定されるものではない。例えば、ベゼルの上辺板部や下辺板部の中央付近にアクチュエータを取り付けてもよい。そして、アクチュエータにより、上辺板部の内側側面や下辺板部の内側側面に略直交する方向に振動が提供されてもよい。これにより、映像表示装置を巨大化した場合でも、センター位置に向かって音声を再生でき、センター位置に音像を定位することができる。
【０１１３】
音声の属性に応じて、各アクチュエータの振動量や、振動させるアクチュエータを変更してもよい。音声の属性とは、ジャンル、周波数特性、テンポなどである。さらに、映像の属性に応じて、各アクチュエータの振動量や、振動させるアクチュエータを変更してもよい。例えば、第２の実施形態において、表示パネル２００にニュースが表示される場合には、アクチュエータ１２２およびアクチュエータ１２４のみを振動させることにより、音声をクリアに再生する。表示パネル２００に映画が表示される場合には、すべてのアクチュエータを振動させることにより、音声をクリアに再生するとともに、音響的な広がり感を提供し、臨場感ある音場を実現する。
【０１１４】
上述した実施形態では、ベゼルの背面側に突部を設けているが、所定レベルの音圧を確保でき、アクチュエータの取付機構を小型化できるのであれば、必ずしも突部を設ける必要はない。
【０１１５】
ベゼルの形状は、一体的に形成された枠体に限定されることはない。例えば、ベゼルが、分離された、右辺板部および左辺板部により構成されてもよい。
【０１１６】
本開示は、装置に限らず、方法、プログラム、システム等により実現することができる。プログラムは、例えば、ネットワークを介して、若しくは、光ディスクや半導体メモリ等の可搬型のメモリを介してユーザに提供し得る。
【０１１７】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。
【０１１８】
本開示は、例示した処理が複数の装置によって分散されて処理される、いわゆるクラウドシステムに対して適用することもできる。実施形態および変形例において例示した処理が実行されるシステムであって、例示した処理の少なくとも一部の処理が実行される装置として、本開示を実現することができる。
【０１１９】
本開示は、以下の構成もとることができる。
（１）
所定面を有し、光提供部の背面側に前記所定面が位置される振動板と、
前記所定面に略直交する方向への振動を提供する加振部と
を備える音声出力装置。
（２）
前記光提供部は、映像を表示する表示パネルである
（１）に記載の音声出力装置。
（３）
前記振動板の背面側に、前記所定面と同一の平面または前記所定面と略平行な面である、端面を有する突部が形成され、
前記加振部は、前記端面に略直交する方向に対して振動を提供するように構成される
（１）または（２）に記載の音声出力装置。
（４）
前記光提供部の背面側に設けられる音声出力部を備え、
前記振動板は、前記音声出力部により再生される音声を前記光提供部の前面側に反射するように構成される
（１）乃至（３）に記載の音声出力装置。
（５）
前記加振部は、第１の音声信号が供給されるように構成され、
前記音声出力部は、前記第１の音声信号の帯域と一部または全部が異なる帯域を有する第２の音声信号が供給されるように構成される
（４）に記載の音声出力装置。
（６）
前記加振部は、供給される前記第１の音声信号に応じて振動するように構成される
（５）に記載の音声出力装置。
（７）
前記振動板が光透過性部材により構成される
（１）乃至（６）のいずれかに記載の映像表示装置。
（８）
複数の前記加振部を備える
（１）乃至（７）のいずれかに記載の音声出力装置。
（９）
前記加振部が、ピエゾアクチュエータにより構成される
（３）乃至（９）のいずれかに記載の音声出力装置。
（１０）
前記ピエゾアクチュエータは、当接面を備え、
前記ピエゾアクチュエータの当接面が前記端面に当接する
（９）に記載の音声出力装置。
（１１）
光提供部の背面側に振動板の所定面が配され、加振部により、前記所定面に略直交する方向への振動が提供される
音声出力装置における音声出力方法。
（１２）
表示パネルと、
所定面を有し、前記表示パネルの背面側に前記所定面が位置される振動板と、
前記所定面に略直交する方向への振動を提供する加振部と
を備える映像表示装置。
（１３）
前記振動板は、前記表示パネルの周囲を囲う枠体である
（１２）に記載の映像表示装置。
（１４）
前記振動板が光透過性部材により構成される
（１２）または（１３）に記載の映像表示装置。
（１５）
前記所定面は、第１の所定面と、前記第１の所定面に対して略直交する第２の所定面とを含み、
前記加振部は、前記第１の所定面に略直交する方向への振動を提供する第１の加振部と、前記第２の所定面に略直交する方向への振動を提供する第２の加振部とを含む
（１２）乃至（１４）のいずれかに記載の映像表示装置。
（１６）
前記振動板は、複数のコーナー部を有し、
前記複数のコーナー部のうちの少なくとも一のコーナー部が、前記第２の加振部の加振方向に位置されるように、前記振動板が構成される
（１５）に記載の映像表示装置。
【符号の説明】
【０１２０】
１,２・・・映像表示装置
１００，２００・・・表示パネル
１０１，２０１・・・ベゼル
１１２ａ・・・右辺板部の内側側面
１１３ａ・・・左辺板部の内側側面
１１５,１１６,１１７,１１８・・・突部
１１５ａ,１１６ａ,１１７ａ,１１８ａ・・・突部の端面
１２１,１２２,１２３,１２４・・・アクチュエータ
１４１,１４２・・・スピーカ
２２１,２２６・・・凹部の側面
２２２ａ,２２７ａ・・・突部の端面
【図１】
2014184994.tif 000003
【図２】
2014184994.tif 000004
【図３】
2014184994.tif 000005
【図４】
2014184994.tif 000006
【図５】
2014184994.tif 000007
【図６】
2014184994.tif 000008
【図７】
2014184994.tif 000009
【図８】
2014184994.tif 000010
【図９】
2014184994.tif 000011
【図１０】
2014184994.tif 000012
【図１１】
2014184994.tif 000013
【図１２】
2014184994.tif 000014
【図１３】
2014184994.tif 000015
【図１４】
2014184994.tif 000016
【図１５】
2014184994.tif 000017
【図１６】
2014184994.tif 000018
【図１７】
2014184994.tif 000019
【図１８】
2014184994.tif 000020
【図１９】
2014184994.tif 000021
【図２０】
2014184994.tif 000022
【図２１】
2014184994.tif 000023
【図２２】
2014184994.tif 000024
【国際調査報告】
2014184994.tif 000025
2014184994.tif 000026
2014184994.tif 000027
2014184994.tif 000028